(57)【特許請求の範囲】
【請求項１】
用紙載置台に収納された用紙に対して当接可能とされこの用紙を１枚ずつ分離して給紙する給紙ローラを配設し、この給紙ローラを前記用紙載置台から離間した位置に保持するためのプリンタの給紙ローラ解除機構であって、前記用紙載置台部分に前記用紙の先端縁が当接してこの用紙を１枚ずつ分離するための分離板をその傾斜角度を調整可能に配設し、前記用紙載置台の一側に切換えレバーをその基端部を中心として上下方向に揺動自在に配設し、この切換えレバーの基端部に、前記分離板の一端部を一体に連結するとともに、上方に突出するカム突起を形成し、前記切換えレバーを、前記カム突起により前記給紙ローラを前記用紙載置台から離間した位置に保持させる解除ポジションと、通常の用紙を給紙する普通紙給紙ポジションと、前記分離板を前記普通紙給紙ポジションより傾斜が大きい状態に保持して厚紙の用紙を給紙する厚紙給紙ポジションとに、選択的に保持可能としたことを特徴とするプリンタの給紙ローラ解除機構。
【請求項２】
前記切換えレバーにノッチを形成するとともに、前記ノッチを受入れるための３つの係止部を前記切換えレバーの揺動方向に所定間隔をもって形成し、前記各係止部に前記ノッチが係合した状態で、前記切換えレバーを前記３つのポジションに保持するようにしたことを特徴とする請求項１に記載のプリンタの給紙ローラ解除機構。
【発明の詳細な説明】
【０００１】
【発明の属する技術分野】
本発明はプリンタの給紙ローラ解除機構に係り、特に、用紙載置台に収納された用紙を１枚ずつ分離して給紙する給紙ローラを前記用紙載置台から離間した位置に保持するためのプリンタの給紙ローラ解除機構に関する。
【０００２】
【従来の技術】
一般に、コンピュータ、ワードプロセッサ、ファクシミリ等の出力装置として熱転写プリンタ、ページプリンタ等の各種のプリンタが用いられている。
【０００３】
このようなプリンタにおいて、所望の記録を行なう場合は、プリンタ本体に設けられた用紙載置台に複数枚の用紙を収納し、この用紙に対して給紙ローラを当接させてこの給紙ローラを回転駆動させることにより、前記用紙載置台に収納された用紙を分離機構により１枚ずつ分離して給紙するようになっている。この給紙ローラにより給紙された用紙は、プリンタの記録位置の手前に配置された紙送りローラに向かって搬送され、用紙の搬送方向の先頭が紙送りローラに達すると、この紙送りローラにより用紙の搬送を行なうようになっている。そして、所定の記録位置に搬送された用紙に対して、所望の記録信号に基づいてサーマルヘッドを駆動することにより、所望の記録を行なうものである。
【０００４】
そして、このような従来のプリンタにおいては、用紙を用紙載置台に収納する場合に、前記給紙ローラが邪魔になることから、前記給紙ローラを用紙載置台から離間した状態に保持することができるように給紙ローラの解除機構が設けられている。
【０００５】
また、前記プリンタにおいては、前記給紙ローラにより用紙を給紙する場合に、最上位の用紙から確実に１枚ずつ分離して給紙するための分離機構が設けられている。そして、このような分離機構として、出願人は、用紙の先端縁が当接される分離板を設け、この分離板の接触抵抗により、用紙を１枚ずつ適正に分離するようにした分離機構を開発した。この分離板は、傾斜角度を調整することが可能とされており、用紙の種類に合せて傾斜角度を変更することにより、各種の用紙を適正に分離して給紙を行なうことができるものである。
【０００６】
【発明が解決しようとする課題】
しかしながら、前述した従来のプリンタにおいては、給紙ローラの解除機構と分離機構とが別個に配設されているので、用紙載置台に用紙を収納する場合に給紙ローラを用紙載置台から離間させるように給紙ローラの解除機構を操作するとともに、用紙の種類に応じて分離機構を操作するというように、給紙ローラの解除機構と分離機構とを別個に操作する必要があり、操作が面倒であり、これらの操作を一連のものとして行なうことができないという問題を有している。
【０００７】
また、給紙ローラの解除機構と分離機構とが別個に配設されているので、構造が複雑となり、しかも、設置スペースをそれぞれ確保する必要があり、装置の低コスト化および小型化を図ることができないという問題を有している。
【０００８】
本発明はこれらの点に鑑みてなされたもので、給紙ローラの解除操作と分離板の傾斜角度の調整を一連の操作として行なうことができ、極めて容易に操作を行なうことのできるプリンタの給紙ローラ解除機構を提供することを目的とするものである。
【０００９】
【課題を解決するための手段】
前記目的を達成するため請求項１に記載の発明に係るプリンタの給紙ローラ解除機構は、用紙載置台に収納された用紙に対して当接可能とされこの用紙を１枚ずつ分離して給紙する給紙ローラを配設し、この給紙ローラを前記用紙載置台から離間した位置に保持するためのプリンタの給紙ローラ解除機構であって、前記用紙載置台部分に前記用紙の先端縁が当接してこの用紙を１枚ずつ分離するための分離板をその傾斜角度を調整可能に配設し、前記用紙載置台の一側に切換えレバーをその基端部を中心として上下方向に揺動自在に配設し、この切換えレバーの基端部に、前記分離板の一端部を一体に連結するとともに、上方に突出するカム突起を形成し、前記切換えレバーを、前記カム突起により前記給紙ローラを前記用紙載置台から離間した位置に保持させる解除ポジションと、通常の用紙を給紙する普通紙給紙ポジションと、前記分離板を前記普通紙給紙ポジションより傾斜が大きい状態に保持して厚紙の用紙を給紙する厚紙給紙ポジションとに、選択的に保持可能としたことを特徴とするものである。
【００１０】
この請求項１に記載の発明によれば、切換えレバーを揺動動作させることにより、給紙ローラを用紙載置台から離間した位置に保持させる解除ポジションと、通常の用紙を給紙する普通紙給紙ポジションと、分離板を普通紙給紙ポジションより傾斜が大きい状態に保持して厚紙の用紙を給紙する厚紙給紙ポジションとに、前記切換えレバーを選択的に保持することができるようにしているので、切換えレバーを揺動操作するだけで、給紙ローラの解除操作と分離板の傾斜角度の調整を一連の操作として行なうことができ、極めて容易に操作を行なうことができるし、切換えレバーの基端部に上方に突出するカム突起を形成することにより、このカム突起により、給紙ローラを用紙載置台から離間した位置に保持することができるものである。
【００１３】
さらに、請求項２に記載の発明は、請求項１において、前記切換えレバーにノッチを形成するとともに、前記ノッチを受入れるための３つの係止部を前記切換えレバーの揺動方向に所定間隔をもって形成し、前記各係止部に前記ノッチが係合した状態で、前記切換えレバーを前記３つのポジションに保持するようにしたことを特徴とするものである。
【００１４】
この請求項２に記載の発明によれば、 切換えレバーに形成されたノッチを３つの係止部に係合させることにより、切換えレバーを３つのポジションに保持するようにしているので、切換えレバーを確実に各ポジションに保持することができるものである。
【００１５】
【発明の実施の形態】
以下、本発明の実施の形態について図１から図４を参照して説明する。
【００１６】
図１から図４は本発明に係る給紙ローラ解除機構を適用したプリンタの実施の一形態を示したもので、本実施形態のプリンタ１は、用紙２をほぼ水平に搬送して記録を行なうように構成されており、このプリンタ１は、図示しないプリンタケースの内部に配設されるプリンタフレーム３を有している。このプリンタフレーム３の下方には、平板状を有し前記プリンタフレーム３の幅方向に延在するプラテン４がその記録面が上方に指向するように配設されている。
【００１７】
また、前記プリンタフレーム３の一側には、図示しない駆動機構によりプラテン４に沿って往復移動自在とされたキャリッジ５が配設されており、このキャリッジ５の下端部には、図示しない複数の発熱素子が整列配置された記録ヘッドとしてのサーマルヘッド６が図示しない駆動機構によりプラテン４に対して接離自在に配設されている。さらに、前記キャリッジ５には、内部に図示しない所望の色のインクリボンが巻回されたリボンカセット７が着脱自在に装着されるようになっており、このインクリボンは、前記サーマルヘッド６の発熱素子部分とプラテン４との間に案内されるようになされている。そして、プラテン４とサーマルヘッド６との間に用紙２およびインクリボンが供給された状態で、サーマルヘッド６をプラテン４に対して圧接させ、このヘッドダウン状態におけるサーマルヘッド６とプラテン４との圧接位置が記録位置とされている。
【００１８】
また、前記プリンタフレーム３の用紙搬送方向上流側の下方には、用紙載置台８が配設されており、この用紙載置台８の上面に複数枚の用紙２を積層して載置するようになっている。前記用紙載置台８の上面には、例えば、コルク等の材料からなる図示しない複数の摩擦パッドがその表面が前記用紙載置台８と面一となるように埋設されており、この用紙載置台８の先端部には、前記用紙２の先端縁に当接しこの積層された用紙２のうち最上位の用紙２のみを分離させるための分離板９が配設されている。
【００１９】
前記用紙載置台８の上方には、前記プリンタフレーム３の幅方向に延在し両端部が前記プリンタフレーム３の両側に支持された支持軸１０が配設されており、この支持軸１０の用紙搬送方向上流側近傍には、給紙ローラ駆動軸１１が前記支持軸１０と平行に配設されている。また、前記プリンタフレーム３の両側には、円弧状を有する軸支孔１２が形成されており、この軸支孔１２には、給紙ローラ駆動軸１１の両端部が回転自在に支持されている。さらに、給紙ローラ駆動軸１１は、図２に示すように、連結アーム１３を介して前記支持軸１０に連結されており、この連結アーム１３により、給紙ローラ駆動軸１１は、前記支持軸１０を中心として前記軸支孔１２に沿って揺動自在とされている。
【００２０】
前記給紙ローラ駆動軸１１の前記用紙載置台８の摩擦パッドに対応する位置には、断面形状ほぼＤ字状を有する複数の給紙ローラ１４が軸方向に所定間隔を有するように取付けられており、この給紙ローラ駆動軸１１は、支持軸１０に取付けられた図示しないねじりコイルばね等の付勢部材により用紙載置台８の方向に付勢されている。
【００２１】
プリンタフレーム３の前記プラテン４より用紙搬送方向上流側には、前記プリンタフレーム３の幅方向に延在し両端部が前記プリンタフレーム３の両側に支持された紙送りローラ駆動軸１６が配設されており、この紙送りローラ駆動軸１６には、複数の紙送りローラ１７が所定間隔をもって取付けられている。また、各紙送りローラ１７の上方には、紙送りローラ１７の外周面に当接され紙送りローラ１７に従動回転される補助ローラ１８が回転自在に配設されている。
【００２２】
また、プリンタフレーム３の前記用紙載置台８と紙送りローラ１７との間には、給紙ローラ１４により用紙載置台８から取出された用紙２を前記紙送りローラ１７と補助ローラ１８との間に案内するガイド板１９が配設されており、このガイド板１９の中途部には、このガイド板１９部分に用紙２が搬送されると揺動されて用紙２の検出を行なう用紙検出部材としての用紙検出レバー２０が配設されている。
【００２３】
さらに、プリンタフレーム３のプラテン４より用紙搬送方向下流側には、前記プリンタフレーム３の幅方向に延在しプリンタフレーム３に支持された排紙ローラ駆動軸２１が回転自在に配設されており、この排紙ローラ駆動軸２１には、記録の終了した用紙２を外部に排出する複数の排紙ローラ２２が所定間隔をもって取付けられている。
【００２４】
そして、用紙載置台８から給紙ローラ１４により給紙された用紙２は、記録位置の手前でガイド板１９に案内されて紙送りローラ１７と補助ローラ１８とに受け渡され、紙送りローラ１７と補助ローラ１８との間に挟持されて記録位置に搬送されるものであり、記録後の用紙２は、排紙ローラ２２によりプリンタ１の外部に排出されるようになされている。
【００２５】
また、本実施形態においては、前記プリンタフレーム３の一側には、ほぼく字状を有する切換えレバー２３がその基端部を中心として上下方向に揺動自在に支持されており、この切換えレバー２３の基端部には、前記分離板９の一端部が一体に連結されている。そして、前記切換えレバー２３を揺動動作させることにより、前記分離板９も一体となって回動され、前記分離板９の傾斜角度を変化させることができるようになされている。さらに、前記切換えレバー２３の基端部には、上方に突出するカム突起２４が形成されており、前記連結アーム１３の下側には、前記切換えレバー２３の揺動により前記カム突起２４が当接される係合突部２５が突出形成されている。
【００２６】
また、前記切換えレバー２３の側面の中途部には、図示しないノッチが突出形成されており、前記プリンタフレーム３には、前記ノッチを受入れるための図示しない複数の係止部が前記切換えレバー２３の揺動方向に所定間隔をもって形成されている。本実施形態においては、前記係止部は、前記切換えレバー２３の揺動位置に応じて３ヵ所に形成されており、それぞれの係止部に前記ノッチが係合した状態で、前記切換えレバー２３を３つのポジションの揺動位置に保持することができるものである。すなわち、図２に示すように、切換えレバー２３のノッチが最下部に位置する係止部に係合され、切換えレバー２３が最も下方に揺動した位置に保持された状態で、前記切換えレバー２３のカム突起２４が連結アーム１３の係合突部２５に係合して連結アーム１３を介して給紙ローラ駆動軸１１を上方に揺動させ給紙ローラ１４を用紙載置台８から離間した位置に保持させる解除ポジションと、図３に示すように、切換えレバー２３のノッチが中間に位置する係止部に係合され、切換えレバー２３が図２の位置から上方に揺動した位置に保持された状態である普通紙等の通常の用紙２を給紙する普通紙給紙ポジションと、図４に示すように、切換えレバー２３のノッチが最上部に位置する係止部に係合され、切換えレバー２３が最も上方に揺動した位置に保持された状態であるはがき等の厚紙の用紙２を給紙する厚紙給紙ポジションとに、前記切換えレバー２３を選択的に保持することができるようになされている。
【００２７】
次に、前述した構成からなる本実施形態の作用について説明する。
【００２８】
本実施形態においては、まず、切換えレバー２３を下方に揺動させることにより、切換えレバー２３のノッチを最下部に位置する係止部に係合させ、切換えレバー２３を解除ポジションに保持させる。この状態で、図２に示すように、前記切換えレバー２３のカム突起２４が連結アーム１３の係合突部２５に係合して連結アーム１３を介して給紙ローラ駆動軸１１を上方に揺動させ、給紙ローラ１４が用紙載置台８から離間した位置に保持される。
【００２９】
このように給紙ローラ１４が用紙載置台８から離間した状態で、用紙載置台８に所定の用紙２を積層して収納させる。
【００３０】
そして、この用紙２が通常の用紙２の場合には、前記切換えレバー２３を上方に揺動動作させることにより、切換えレバー２３のノッチを中間に位置する係止部に係合させ、切換えレバー２３を普通紙給紙ポジションに保持させる。この切換えレバー２３の揺動動作に応じて分離板９も一体に回動され、これにより、図３に示すように、分離板９が通常の用紙２の分離に適した角度に傾斜される。
【００３１】
また、前記用紙２がはがき等の厚紙の場合には、前記切換えレバー２３をさらに上方に揺動動作させることにより、切換えレバー２３のノッチを最上部に位置する係止部に係合させ、切換えレバー２３を厚紙給紙ポジションに保持させる。これにより、図４に示すように、分離板９がさらに傾斜され、はがき等の厚紙の用紙２の分離に適した角度に保持される。
【００３２】
この状態で、給紙ローラ１４を回転駆動させることにより、用紙載置台８に積層された用紙２のうち最上位にある用紙２が１枚だけ紙送りローラ１７の方向に搬送される。この場合に、用紙載置台８に分離板９を配設するようにしているので、この分離板９が用紙２の先端縁に負荷を与えることになり、最上位の用紙２のみを分離して円滑に搬送することができるものである。
【００３３】
そして、前記給紙ローラ１４により給紙された用紙２は、紙送りローラ１７と補助ローラとの間に搬送されるとともに、紙送りローラ１７の回転駆動によりプラテン４とサーマルヘッド６との間の記録位置に搬送され、この用紙２に対して所定の記録が開始される。すなわち、サーマルヘッド６をインクリボンおよび用紙２を介してプラテン４に圧接させて、キャリッジ５をプラテン４に沿って移動させながら、所望の記録信号に基づいてサーマルヘッド６の発熱素子を選択的に駆動させることにより、前記用紙２に所望の記録を行なうものである。
【００３４】
そして、その後、紙送りローラ１７を回転駆動させることにより、用紙２の記録に必要な改行動作に伴う紙送りを繰り返して行ない、記録が終了した用紙２は、排紙ローラ２２により外部に排出される。
【００３５】
したがって、本実施形態においては、前記切換えレバー２３をそのノッチが各係止部に係合するように揺動動作させることにより、切換えレバー２３のカム突起２４により給紙ローラ１４を用紙載置台８から離間した位置に保持させる解除ポジションと、通常の用紙２を給紙する普通紙給紙ポジションと、厚紙の用紙２を給紙する厚紙給紙ポジションとに、前記切換えレバー２３を選択的に保持することができるようにしているので、切換えレバー２３を揺動操作するだけで、給紙ローラ１４の解除操作と分離板９の傾斜角度の調整を一連の操作として行なうことができ、極めて容易に操作を行なうことができる。また、切換えレバー２３のみで給紙ローラ１４と分離板９の傾斜角度を操作するものであるため、構造が簡単であり、設置スペースも少なくて済み、装置の低コスト化および小型化を図ることができる。
【００３６】
さらに、  切換えレバー２３に形成されたノッチを３つの係止部に係合させることにより、切換えレバー２３を３つのポジションに保持するようにしているので、切換えレバー２３を確実に各ポジションに保持することができる。
【００３７】
なお、本発明は前記実施形態のものに限定されるものではなく、必要に応じて種々変更することができる。
【００３８】
【発明の効果】
以上述べたように請求項１に記載の発明に係るプリンタの給紙ローラ解除機構は、切換えレバーを揺動動作させることにより、この切換えレバーを解除ポジション、普通紙給紙ポジションおよび厚紙給紙ポジションの３つのポジションに選択的に保持することができるようにしたので、切換えレバーを揺動操作するだけで、給紙ローラの解除操作と分離板の傾斜角度の調整を一連の操作として行なうことができ、極めて容易に操作を行なうことができる。また、切換えレバーのみで給紙ローラと分離板の傾斜角度を操作するものであるため、構造が簡単であり、設置スペースも少なくて済み、装置の低コスト化および小型化を図ることができる。
【００３９】
また、請求項２に記載の発明は、切換えレバーの基端部に上方に突出するカム突起を形成することにより、このカム突起により、給紙ローラを用紙載置台から離間した位置に保持することができる。
【００４０】
さらに、請求項３に記載の発明は、  切換えレバーに形成されたノッチを３つの係止部に係合させることにより、切換えレバーを３つのポジションに保持するようにしているので、切換えレバーを確実に各ポジションに保持することができる等の効果を奏する。
【図面の簡単な説明】
【図１】本発明に係る給紙ローラ解除機構を適用するプリンタの実施の一形態を示す縦断面図
【図２】本発明に係る給紙ローラ解除機構による解除ポジションを示す側面図
【図３】本発明に係る給紙ローラ解除機構による普通紙給紙ポジションを示す側面図
【図４】本発明に係る給紙ローラ解除機構による厚紙給紙ポジションを示す側面図
【符号の説明】
１  プリンタ
２  用紙
３  プリンタフレーム
４  プラテン
５  キャリッジ
６  サーマルヘッド
８  用紙載置台
９  分離板
１３  連結アーム
１４  給紙ローラ
１７  紙送りローラ
１８  補助ローラ
２０  用紙検出レバー
２２  排紙ローラ
２３  切換えレバー
２４  カム突起
２５  係合突部
【図１】
0003561109.tif 000002
【図２】
0003561109.tif 000003
【図３】
0003561109.tif 000004
【図４】
0003561109.tif 000005